(57)【特許請求の範囲】
【請求項１】
下水汚泥処理場に下水汚泥を搬送する下水汚泥管路内を中継ポンプ場の圧送ポンプによって下水汚泥圧送がなされる場合であって、生物化学的酸素要求量（ＢＯＤ値）、Ｈ２Ｓ量及び適用される温度で現わされる下水汚泥圧送前の下水汚泥水質データ、下水汚泥水質に対応したＨ２Ｓ量の推測値データ、推測されたＨ２Ｓ量と一日の中での時間帯が関係した日時対応の処理スケジュールとから取得された、鋭く尖った形態を示すＨ２Ｓガスピーク値データ及びＨ２Ｓガスピーク値についてＨ２Ｓのにおいがする、しないとの閾値として予め設定したＨ２Ｓ境界ガスピークデータ値を格納する格納手段と、
下水汚泥圧送前の下水汚泥水質、下水汚泥から拡散するＨ２Ｓガスを減少させるために注入する酸素、オゾン又は酸素及びオゾンのいずれかをＨ２Ｓ低減剤として注入するＨ２Ｓ低減法、及び下水汚泥処理のための日時対応の処理スケジュールからなる処理指令を入力する入力手段と、
格納された下水汚泥水質データを参照し、Ｈ２Ｓ低減剤の注入量を設定したＨ２Ｓ低減法の適用によって日時対応の処理スケジュールの中でＨ２Ｓ量を推定し、推定されたＨ２Ｓ量と日時対応の処理スケジュールとからＨ２Ｓガス濃度中の鋭く尖った形態を示すＨ２Ｓガスピーク値を推定するＨ２Ｓガスピーク値推定手段と、
Ｈ２Ｓ推定ガスピーク値についてＨ２Ｓのにおいがする、しないとの閾値を予め設定したＨ２Ｓ境界ガスピークデータ値を参照して、日時対応の処理スケジュールの中で、前記Ｈ２Ｓガスピーク値を、予め設定したＨ２Ｓ境界ガスピーク値以下にさせると推定させるＨ２Ｓ低減法を複数特定するＨ２Ｓ低減法特定手段と、
特定されたＨ２Ｓ低減法を画面表示手段の画面上に表示させ、表示されたＨ２Ｓ低減法から管理者によって選択された１つのＨ２Ｓ低減法または予め定めた順位決定法によって定まる１つのＨ２Ｓ低減法を下水汚泥処理のためのＨ２Ｓ低減法として決定するＨ２Ｓ低減法決定手段と、
決定されたＨ２Ｓ低減法によって推定される推定Ｈ２Ｓガスピーク値および該推定Ｈ２Ｓガスピーク値によって感知されるにおい情報を日時対応の処理スケジュールに沿って時々刻々に、または一定期間毎に下水汚泥処理場に設けた表示手段に通信手段を介して通知する表示データ通知手段と、
からなることを特徴とする下水汚泥処理支援装置。
【請求項２】
下水汚泥処理場に下水汚泥を搬送する下水汚泥管路内を中継ポンプ場の圧送ポンプによって下水汚泥圧送がなされる場合であって、下水汚泥管路の口径を違えた状態下での、ＢＯＤ値、Ｈ２Ｓ量及び適用される温度で現わされる下水汚泥圧送前の下水汚泥水質データ、下水汚泥水質に対応したＨ２Ｓ量の推測値データ、推測されたＨ２Ｓ量と一日の中での時間帯が関係した日時対応の処理スケジュールとから取得された、鋭く尖った形態を示すＨ２Ｓガスピーク値データ及びＨ２Ｓガスピーク値についてＨ２Ｓのにおいがする、しないとの閾値として予め設定したＨ２Ｓ境界ガスピークデータ値を格納する格納手段と、
下水汚泥管路の口径及び下水汚泥圧送前の下水汚泥水質、下水汚泥から拡散するＨ２Ｓガスを減少させるために注入する酸素、オゾン又は酸素及びオゾンのいずれかをＨ２Ｓ低減剤として注入するＨ２Ｓ低減法、及び下水汚泥処理のための日時対応の処理スケジュールからなる処理指令を入力する入力手段と、
格納された下水汚泥水質データ及び下水汚泥管路の口径を参照し、Ｈ２Ｓ低減剤の注入量を設定したＨ２Ｓ低減法の適用によって日時対応の処理スケジュールの中でＨ２Ｓ量を推定し、推定されたＨ２Ｓ量と日時対応の処理スケジュールとからＨ２Ｓガス濃度中の鋭く尖った形態を示すＨ２Ｓガスピーク値を推定するＨ２Ｓガスピーク値推定手段と、
Ｈ２Ｓ推定ガスピーク値についてＨ２Ｓのにおいがする、しないとの閾値を予め設定したＨ２Ｓ境界ガスピークデータ値を参照して、日時対応の処理スケジュールの中で、前記Ｈ２Ｓガスピーク値を、予め設定したＨ２Ｓ境界ガスピーク値以下にさせると推定させるＨ２Ｓ低減法を複数特定するＨ２Ｓ低減法特定手段と、
特定されたＨ２Ｓ低減法を画面表示手段の画面上に表示させ、表示されたＨ２Ｓ低減法から管理者によって選択された１つのＨ２Ｓ低減法または予め定めた順位決定法によって定まる１つのＨ２Ｓ低減法を下水汚泥処理のためのＨ２Ｓ低減法として決定するＨ２Ｓ低減法決定手段と、
決定されたＨ２Ｓ低減法によって推定される推定Ｈ２Ｓガスピーク値および該推定Ｈ２Ｓガスピーク値によって感知されるにおい情報を日時対応の処理スケジュールに沿って時々刻々に、または一定期間毎に下水汚泥処理場に設けた表示手段に通信手段を介して通知する表示データ通知手段と、
からなることを特徴とする下水汚泥処理支援装置。
【請求項３】
請求項１または２において、前記表示データ通信手段は、Ｈ２Ｓ低減法、及びＨ２Ｓガスピーク値観測予測時における予測硫化水素濃度ピーク値を水中Ｈ２Ｓ量及びＨ２Ｓガスピーク値の少なくとも２つの値を並記して通知することを特徴とする下水汚泥処理支援装置。
【請求項４】
請求項１または２において、順位決定法によって定まる１つのＨ２Ｓ低減法を決定するときに、順位は、酸素注入法、オゾン注入法、酸素＋オゾン注入法の順に設定されることを特徴とする下水汚泥処理支援装置。
【請求項５】
格納手段に、下水汚泥処理場に下水汚泥を搬送する下水汚泥管路内を中継ポンプ場の圧送ポンプによって下水汚泥圧送がなされる場合であって、ＢＯＤ値、Ｈ２Ｓ量及び適用される温度で現わされる下水汚泥圧送前の下水汚泥水質データ、下水汚泥水質に対応したＨ２Ｓ量の推測値データ、推測されたＨ２Ｓ量と一日の中での時間帯が関係した日時対応の処理スケジュールとから取得された、鋭く尖った形態を示すＨ２Ｓガスピーク値データ及びＨ２Ｓガスピーク値についてＨ２Ｓのにおいがする、しないとの閾値として予め設定したＨ２Ｓ境界ガスピークデータ値を格納し、
入力手段が、下水汚泥圧送前の下水汚泥水質、下水汚泥から拡散するＨ２Ｓガスを減少させるために注入する酸素、オゾン又は酸素及びオゾンのいずれかをＨ２Ｓ低減剤として注入するＨ２Ｓ低減法、及び下水汚泥処理のための日時対応の処理スケジュールからなる処理指令を入力し、
ピークＨ２Ｓ量及びＨ２Ｓガスピーク値推定手段が、格納された下水汚泥水質データを参照し、Ｈ２Ｓ低減剤の注入量を設定したＨ２Ｓ低減法の適用によって日時対応の処理スケジュールの中でＨ２Ｓ量を推定し、推定されたＨ２Ｓ量と日時対応の処理スケジュールとからＨ２Ｓガス濃度中の鋭く尖った形態を示すＨ２Ｓガスピーク値を推定し、
Ｈ２Ｓ低減法特定手段が、Ｈ２Ｓ推定ガスピーク値についてＨ２Ｓのにおいがする、しないとの閾値を予め設定したＨ２Ｓ境界ガスピークデータ値を参照して、日時対応の処理スケジュールの中で、前記Ｈ２Ｓガスピーク値を、予め設定したＨ２Ｓ境界ガスピーク値以下にさせると推定させるＨ２Ｓ低減法を複数特定し、
Ｈ２Ｓ低減法決定手段が、特定されたＨ２Ｓ低減法を画面表示手段の画面上に表示させ、表示されたＨ２Ｓ低減法から管理者によって選択された１つのＨ２Ｓ低減法または予め定めた順位決定法によって定まる１つのＨ２Ｓ低減法を下水汚泥処理のためのＨ２Ｓ低減法として決定し、
表示データ通知手段が、決定されたＨ２Ｓ低減法によって推定される推定Ｈ２Ｓガスピーク値および該推定Ｈ２Ｓガスピーク値によって感知されるにおい情報を日時対応の処理スケジュールに沿って時々刻々に、または一定期間毎に下水汚泥処理場に設けた表示手段に通信手段を介して通知すること、
からなることを特徴とする下水汚泥処理支援方法。
【請求項６】
格納手段に、下水汚泥処理場に下水汚泥を搬送する下水汚泥管路内を中継ポンプ場の圧送ポンプによって下水汚泥圧送がなされる場合であって、下水汚泥管路の口径を違えた状態下での、ＢＯＤ値、Ｈ２Ｓ量及び適用される温度で現わされる下水汚泥圧送前の下水汚泥水質データ、下水汚泥水質に対応したＨ２Ｓ量の推測値データ、推測されたＨ２Ｓ量と一日の中での時間帯が関係した日時対応の処理スケジュールとから取得された、鋭く尖った形態を示すＨ２Ｓガスピーク値データ及びＨ２Ｓガスピーク値についてＨ２Ｓのにおいがする、しないとの閾値として予め設定したＨ２Ｓ境界ガスピークデータ値を格納し、
入力手段が、下水汚泥管路の口径及び下水汚泥圧送前の下水汚泥水質、下水汚泥から拡散するＨ２Ｓガスを減少させるために注入する酸素、オゾン又は酸素及びオゾンのいずれかをＨ２Ｓ低減剤として注入するＨ２Ｓ低減法、及び下水汚泥処理のための日時対応の処理スケジュールからなる処理指令を入力し、
ピークＨ２Ｓ量及びＨ２Ｓガスピーク値推定手段が、格納された下水汚泥水質データ及び下水汚泥管路の口径を参照し、Ｈ２Ｓ低減剤の注入量を設定したＨ２Ｓ低減法の適用によって日時対応の処理スケジュールの中でＨ２Ｓ量を推定し、推定されたＨ２Ｓ量と日時対応の処理スケジュールとからＨ２Ｓガス濃度中の鋭く尖った形態を示すＨ２Ｓガスピーク値を推定し、
Ｈ２Ｓ低減法特定手段が、Ｈ２Ｓ推定ガスピーク値についてＨ２Ｓのにおいがする、しないとの閾値を予め設定したＨ２Ｓ境界ガスピークデータ値を参照して、日時対応の処理スケジュールの中で、前記Ｈ２Ｓガスピーク値を、予め設定したＨ２Ｓ境界ガスピーク値以下にさせると推定させるＨ２Ｓ低減法を複数特定し、
Ｈ２Ｓ低減法決定手段が、特定されたＨ２Ｓ低減法を画面表示手段の画面上に表示させ、表示されたＨ２Ｓ低減法から管理者によって選択された１つのＨ２Ｓ低減法または予め定めた順位決定法によって定まる１つのＨ２Ｓ低減法を下水汚泥処理のためのＨ２Ｓ低減法として決定し、
表示データ通知手段が、決定されたＨ２Ｓ低減法によって推定される推定Ｈ２Ｓガスピーク値および該推定Ｈ２Ｓガスピーク値によって感知されるにおい情報を日時対応の処理スケジュールに沿って時々刻々に、または一定期間毎に下水汚泥処理場に設けた表示手段に通信手段を介して通知すること
からなることを特徴とする下水汚泥処理支援方法。
【請求項７】
請求項５または６において、前記表示データ通信手段が、Ｈ２Ｓ低減法、及びＨ２Ｓガスピーク値観測予測時における予測硫化水素濃度ピーク値を水中Ｈ２Ｓ量及びＨ２Ｓガスピーク値の少なくとも２つの値を並記して通知することを特徴とする下水汚泥処理支援方法。
【請求項８】
請求項５または６において、順位決定法によって定まる１つのＨ２Ｓ低減法を決定するときに、順位は、酸素注入法、酸素＋オゾン注入法、オゾン注入法の順に設定することを特徴とする下水汚泥処理支援方法。
【発明の詳細な説明】
【技術分野】
【０００１】
本発明は、下水汚泥処理支援装置及び支援方法に関する。
【背景技術】
【０００２】
下水汚泥浄化処理に際して、下水流路内を流れる下水汚泥を一旦中継ポンプを設置した下水汚泥ピットであるポンプ井に溜めた後、登り流路として形成された圧送管路をポンプで圧送して下水処理場に送られる。圧送管路による圧送距離（あるいは圧送時間）が長くなると圧送管路に下水汚泥が長時間滞留して嫌気的な状態になると嫌気性細菌（硫酸塩還元細菌）によって硫化物、すなわち硫化水素（以下、Ｈ２Ｓというときがある。）が生成される。生成されたＨ２Ｓは、圧送先の圧送管路の吐き出し部分で硫化水素ガスとして放散される。
【０００３】
このＨ２Ｓガスは、悪臭の原因となる。また、硫黄酸化細菌によってＨ２Ｓから硫酸が生成されると、コンクリート製施設は、生成された硫酸によって腐食することになる。
圧送管路で発生する硫化物の抑制のため、従来次のような対策が講じられている。
【０００４】
（１）酸素供給法（空気又は酸素の注入法）
この方法は、下水汚泥と空気又は酸素を一緒に流過させることで下水汚泥を嫌気
性条件下に保持し、硫化物の生成を抑制する方法である。
特許文献１には、圧送する下水汚泥に酸素を供給して、Ｈ２Ｓ濃度を一定水準以
下に抑制することが記載されている。
【０００５】
（２）オゾン注入法
この方法は、下水汚泥腐敗の主原因である嫌気性細菌をオゾンを用いて殺菌する
ことにより、施設の腐食とか悪臭をなくす方法であって、各種のオゾン注入法が
提案されている。
【０００６】
この方法は、酸素供給法と併用して用いられる場合もある。特許文献２には、下
水汚泥へのオゾン注入法が記載されている。
【０００７】
（３）その他の方法
特許文献３には、酸素供給法、薬品添加法、施設の防食法、管路の清掃法及び電
磁波処理法が記載されている。
【先行技術文献】
【特許文献】
【０００８】
【特許文献１】特開２００１−１１９２６号公報
【特許文献２】特開２０１１−１６１４０５号公報
【特許文献３】特開２００５−２９６７９６号公報
【発明の概要】
【発明が解決しようとする課題】
【０００９】
圧送管路で発生する硫化物の抑制のために採用される従来の各種方法は、悪臭の原因排除技術として特徴を有している。
【００１０】
下水汚泥処理場にとって圧送管路からのＨ２Ｓガスの放散対策は、環境の保全、付近住民からの苦情を皆無にして快適な雰囲気を醸成することが求められる。このためには、Ｈ２Ｓガス放散対策が充分に常時なされていることが目に見える形で住民に情報提供されることが求められる。
【００１１】
本発明は、かかる点に鑑みて下水汚泥の水質を含む下水汚泥処理上の特性に対して、Ｈ２Ｓガスの濃度を実測して、実測したＨ２Ｓの濃度に対応してフィードバック抑制制御によるＨ２Ｓガス放散対策をとるのではなく、Ｈ２Ｓガス悪臭の原因となる要因を推定、予知することによってフォーワード抑制制御を行うことを目的とする。これによって、悪臭の漏洩を未然に防止し、フォーワード抑制制御が常時なされていることを目に見える形で付近の住民に情報提供できるようにし、以って付近住民が快適な雰囲気、環境が得られるようにする。
【課題を解決するための手段】
【００１２】
本発明は、下水汚泥処理場に下水汚泥を搬送する下水汚泥管路内を中継ポンプ場の圧送ポンプによって下水汚泥圧送がなされる場合であって、下水汚泥から発生する硫化物の濃度が下水汚泥中のＨ２Ｓ量並びに下水汚泥から拡散するＨ２Ｓガス濃度によって現わされるときに、生物化学的酸素要求量（ＢＯＤ値）、Ｈ２Ｓ量及び適用される温度で現わされる下水汚泥圧送前の下水汚泥水質データ、下水汚泥水質に対応したＨ２Ｓ量及びＨ２Ｓガス濃度からなるＨ２Ｓ濃度の算出に用いられる実測値データ、及びＨ２Ｓガスピーク値についてＨ２Ｓのにおいがする、しないの閾値として予め設定したＨ２Ｓ境界ガスピークデータ値を格納する格納手段と、
下水汚泥圧送前の下水汚泥水質、下水汚泥から拡散するＨ２Ｓガスを減少させるために注入する酸素、オゾン又は酸素及びオゾンのいずれかをＨ２Ｓ低減剤として注入するＨ２Ｓ低減法、及び下水汚泥処理のための日時対応の処理スケジュールからなる処理指令を入力する入力手段と、
格納された下水汚泥水質データを参照し、日時対応の処理スケジュールからなる入力された処理指令に対応して、Ｈ２Ｓ低減剤の注入量を設定したＨ２Ｓ低減法の適用によって日時対応の処理スケジュールの中でＨ２Ｓ量を推定し、推定されたＨ２Ｓ量とＨ２Ｓガス濃度中のＨ２Ｓガスピーク値との関係から鋭く尖った形体を示すＨ２Ｓガスピーク値を推定するピークＨ２Ｓ量及びＨ２Ｓガスピーク値推定手段と、
Ｈ２Ｓ推定ガスピーク値についてＨ２Ｓのにおいがする、しないとの閾値を予め設定したＨ２Ｓ境界ガスピークデータ値を参照して、処理指令に対応して、Ｈ２Ｓ量とＨ２Ｓガスピーク値との関係を繰り返して用いて、日時対応の処理スケジュールの中で、前記Ｈ２Ｓガスピーク値を、予め設定したＨ２Ｓ境界ガスピーク値以下にさせると推定させるＨ２Ｓ低減法を複数特定するＨ２Ｓ低減法特定手段と、
特定されたＨ２Ｓ低減法を画面表示手段の画面上に表示させ、表示されたＨ２Ｓ低減法から管理者によって選択された１つのＨ２Ｓ低減法または予め定めた順位決定法によって定まる１つのＨ２Ｓ低減法を下水汚泥処理のためのＨ２Ｓ低減法として決定するＨ２Ｓ低減法決定手段と、
決定されたＨ２Ｓ低減法によって推定される推定Ｈ２Ｓガスピーク値を日時対応の処理スケジュールに沿って時々刻々に、または一定期間毎に下水汚泥処理場に設けた表示手段に通信手段を介して通知する表示データ通知手段と、
からなることを特徴とする下水汚泥処理支援装置を提供する。
【００１３】
本発明は、また、下水汚泥処理場に下水汚泥を搬送する下水汚泥管路内を中継ポンプ場の圧送ポンプによって下水汚泥圧送がなされる場合であって、下水汚泥から発生する硫化物の濃度が下水汚泥中のＨ２Ｓ量並びに下水汚泥から拡散するＨ２Ｓガス濃度によって現わされるときに、下水汚泥管路の口径を違えた状態下での、ＢＯＤ値、Ｈ２Ｓ量及び適用される温度で現わされる下水汚泥圧送前の下水汚泥水質データ、下水汚泥水質に対応したＨ２Ｓ量及びＨ２Ｓガス濃度からなるＨ２Ｓ濃度の算出に用いられる実測値データ、及びＨ２Ｓガスピーク値についてＨ２Ｓのにおいがする、しないの閾値として予め設定したＨ２Ｓ境界ガスピークデータ値を格納する格納手段と、
下水汚泥管路の口径及び下水汚泥圧送前の下水汚泥水質、下水汚泥から拡散するＨ２Ｓガスを減少させるために注入する酸素、オゾン又は酸素及びオゾンのいずれかをＨ２Ｓ低減剤として注入するＨ２Ｓ低減法、及び下水汚泥処理のための日時対応の処理スケジュールからなる処理指令を入力する入力手段と、
格納された下水汚泥水質データ及び下水汚泥管路の口径を参照し、日時対応の処理スケジュールからなる入力された処理指令に対応して、Ｈ２Ｓ低減剤の注入量を設定したＨ２Ｓ低減法の適用によって日時対応の処理スケジュールの中でＨ２Ｓ量を推定し、推定されたＨ２Ｓ量とＨ２Ｓガス濃度中のＨ２Ｓガスピーク値との関係から鋭く尖った形体を示すＨ２Ｓガスピーク値を推定するピークＨ２Ｓ量及びＨ２Ｓガスピーク値推定手段と、
Ｈ２Ｓ推定ガスピーク値についてＨ２Ｓのにおいがする、しないとの閾値を予め設定したＨ２Ｓ境界ガスピークデータ値を参照して、処理指令に対応して、Ｈ２Ｓ量とＨ２Ｓガスピーク値との関係を繰り返して用いて、日時対応の処理スケジュールの中で、前記Ｈ２Ｓガスピーク値を、予め設定したＨ２Ｓ境界ガスピーク値以下にさせると推定させるＨ２Ｓ低減法を複数特定するＨ２Ｓ低減法特定手段と、
特定されたＨ２Ｓ低減法を画面表示手段の画面上に表示させ、表示されたＨ２Ｓ低減法から管理者によって選択された１つのＨ２Ｓ低減法または予め定めた順位決定法によって定まる１つのＨ２Ｓ低減法を下水汚泥処理のためのＨ２Ｓ低減法として決定するＨ２Ｓ低減法決定手段と、
決定されたＨ２Ｓ低減法によって推定される推定Ｈ２Ｓガスピーク値を日時対応の処理スケジュールに沿って時々刻々に、または一定期間毎に下水汚泥処理場に設けた表示手段に通信手段を介して通知する表示データ通知手段と、
からなることを特徴とする下水汚泥処理支援装置を提供する。
【００１４】
本発明は、また、前記表示データ通信手段は、Ｈ２Ｓ低減法、及びＨ２Ｓガスピーク値観測予測時における予測硫化水素濃度ピーク値を水中Ｈ２Ｓ量及びＨ２Ｓガスピーク値の少なくとも２つの値を並記して通知することを特徴とする下水汚泥処理支援装置を提供する。
【００１５】
本発明は、また、順位決定法によって定まる１つのＨ２Ｓ低減法を決定するときに、順位は、酸素注入法、オゾン注入法、酸素＋オゾン注入法の順に設定されることを特徴とする下水汚泥処理支援装置を提供する。
【００１６】
本発明は、また、格納手段に、下水汚泥処理場に下水汚泥を搬送する下水汚泥管路内を中継ポンプ場の圧送ポンプによって下水汚泥圧送がなされる場合であって、下水汚泥から発生する硫化物の濃度が下水汚泥中のＨ２Ｓ量並びに下水汚泥から拡散するＨ２Ｓガス濃度によって現わされるときに、ＢＯＤ値、Ｈ２Ｓ量及び適用される温度で現わされる下水汚泥圧送前の下水汚泥水質データ、下水汚泥水質に対応したＨ２Ｓ量及びＨ２Ｓガス濃度からなるＨ２Ｓ濃度の算出に用いられる実測値データ、及びＨ２Ｓガスピーク値についてＨ２Ｓのにおいがする、しないの閾値として予め設定したＨ２Ｓ境界ガスピークデータ値を格納し、
入力手段が、下水汚泥圧送前の下水汚泥水質、下水汚泥から拡散するＨ２Ｓガスを減少させるために注入する酸素、オゾン又は酸素及びオゾンのいずれかをＨ２Ｓ低減剤として注入するＨ２Ｓ低減法、及び下水汚泥処理のための日時対応の処理スケジュールからなる処理指令を入力し、
ピークＨ２Ｓ量及びＨ２Ｓガスピーク値推定手段が、格納された下水汚泥水質データを参照し、日時対応の処理スケジュールからなる入力された処理指令に対応して、Ｈ２Ｓ低減剤の注入量を設定したＨ２Ｓ低減法の適用によって日時対応の処理スケジュールの中でＨ２Ｓ量を推定し、推定されたＨ２Ｓ量とＨ２Ｓガス濃度中のＨ２Ｓガスピーク値との関係から鋭く尖った形体を示すＨ２Ｓガスピーク値を推定し、
Ｈ２Ｓ低減法特定手段が、Ｈ２Ｓ推定ガスピーク値についてＨ２Ｓのにおいがする、しないとの閾値を予め設定したＨ２Ｓ境界ガスピークデータ値を参照して、処理指令に対応して、Ｈ２Ｓ量とＨ２Ｓガスピーク値との関係を繰り返して用いて、日時対応の処理スケジュールの中で、前記Ｈ２Ｓガスピーク値を、予め設定したＨ２Ｓ境界ガスピーク値以下にさせると推定させるＨ２Ｓ低減法を複数特定し、
Ｈ２Ｓ低減法決定手段が、特定されたＨ２Ｓ低減法を画面表示手段の画面上に表示させ、表示されたＨ２Ｓ低減法から管理者によって選択された１つのＨ２Ｓ低減法または予め定めた順位決定法によって定まる１つのＨ２Ｓ低減法を下水汚泥処理のためのＨ２Ｓ低減法として決定し、
表示データ通知手段が、決定されたＨ２Ｓ低減法によって推定される推定Ｈ２Ｓガスピーク値を日時対応の処理スケジュールに沿って時々刻々に、または一定期間毎に下水汚泥処理場に設けた表示手段に通信手段を介して通知すること、
からなることを特徴とする下水汚泥処理支援装置を提供する。
【００１７】
本発明は、また、格納手段に、下水汚泥処理場に下水汚泥を搬送する下水汚泥管路内を中継ポンプ場の圧送ポンプによって下水汚泥圧送がなされる場合であって、下水汚泥から発生する硫化物の濃度が下水汚泥中のＨ２Ｓ量並びに下水汚泥から拡散するＨ２Ｓガス濃度によって現わされるときに、下水汚泥管路の口径を違えた状態下での、ＢＯＤ値、Ｈ２Ｓ量及び適用される温度で現わされる下水汚泥圧送前の下水汚泥水質データ、下水汚泥水質に対応したＨ２Ｓ量及びＨ２Ｓガス濃度からなるＨ２Ｓ濃度の算出に用いられる実測値データ、及びＨ２Ｓガスピーク値についてＨ２Ｓのにおいがする、しないの閾値として予め設定したＨ２Ｓ境界ガスピークデータ値を格納し、
入力手段が、下水汚泥管路の口径及び下水汚泥圧送前の下水汚泥水質、下水汚泥から拡散するＨ２Ｓガスを減少させるために注入する酸素、オゾン又は酸素及びオゾンのいずれかをＨ２Ｓ低減剤として注入するＨ２Ｓ低減法、及び下水汚泥処理のための日時対応の処理スケジュールからなる処理指令を入力し、
ピークＨ２Ｓ量及びＨ２Ｓガスピーク値推定手段が、格納された下水汚泥水質データ及び下水汚泥管路の口径を参照し、日時対応の処理スケジュールからなる入力された処理指令に対応して、Ｈ２Ｓ低減剤の注入量を設定したＨ２Ｓ低減法の適用によって日時対応の処理スケジュールの中でＨ２Ｓ量を推定し、推定されたＨ２Ｓ量とＨ２Ｓガス濃度中のＨ２Ｓガスピーク値との関係から鋭く尖った形体を示すＨ２Ｓガスピーク値を推定し、
Ｈ２Ｓ低減法特定手段が、Ｈ２Ｓ推定ガスピーク値についてＨ２Ｓのにおいがする、しないとの閾値を予め設定したＨ２Ｓ境界ガスピークデータ値を参照して、処理指令に対応して、Ｈ２Ｓ量とＨ２Ｓガスピーク値との関係を繰り返して用いて、日時対応の処理スケジュールの中で、前記Ｈ２Ｓガスピーク値を、予め設定したＨ２Ｓ境界ガスピーク値以下にさせると推定させるＨ２Ｓ低減法を複数特定し、
Ｈ２Ｓ低減法決定手段が、特定されたＨ２Ｓ低減法を画面表示手段の画面上に表示させ、表示されたＨ２Ｓ低減法から管理者によって選択された１つのＨ２Ｓ低減法または予め定めた順位決定法によって定まる１つのＨ２Ｓ低減法を下水汚泥処理のためのＨ２Ｓ低減法として決定し、
表示データ通知手段が、決定されたＨ２Ｓ低減法によって推定される推定Ｈ２Ｓガスピーク値を日時対応の処理スケジュールに沿って時々刻々に、または一定期間毎に下水汚泥処理場に設けた表示手段に通信手段を介して通知すること
からなることを特徴とする下水汚泥処理支援方法を提供する。
【００１８】
本発明は、また、前記表示データ通信手段が、Ｈ２Ｓ低減法、及びＨ２Ｓガスピーク値観測予測時における予測硫化水素濃度ピーク値を水中Ｈ２Ｓ量及びＨ２Ｓガスピーク値の少なくとも２つの値を並記して通知することを特徴とする下水汚泥処理支援方法を提供する。
【００１９】
本発明は、また、順位決定法によって定まる１つのＨ２Ｓ低減法を決定するときに、順位は、酸素注入法、オゾン注入法、酸素＋オゾン注入法の順に設定することを特徴とする下水汚泥処理支援方法を提供する。
【発明の効果】
【００２０】
本発明は、上述したように、生成される硫化物の量とＨ２Ｓピーク値の関係を示すＨ２Ｓピークデータを使い、Ｈ２Ｓピーク値を持つ下水汚泥に対して、処理指令値に対応して、予め設定したＨ２Ｓ境界ピーク以下とするＨ２Ｓ低減注入法を定めるようにしているので、下水汚泥の水質を含む下水汚泥処理上の特性に対して、Ｈ２Ｓガスの濃度を実測して、実測したＨ２Ｓガスの濃度に対応してフィードバック抑制制御によるＨ２Ｓガス放散対策をとるのではなくて、Ｈ２Ｓガスによる悪臭の直接の原因となるＨ２Ｓピーク値を予知することによってフォーワード抑制制御を行うことでＨ２Ｓガスの漏洩を未然に防止すると共に、フォーワード抑制制御が常時になされていることを目に見える形で付近の住民に情報提供し、以って快適な雰囲気、環境を得ることができる。
【図面の簡単な説明】
【００２１】
【図１】本発明の実施例が適用される典型的な下水汚泥処理システムの構成を示す図。
【図２】本発明の実施例の構成を示すブロック図。
【図３】日時対応の処理スケジュールにおけるＨ２Ｓガス濃度を示すグラフ図。
【図４】日時対応の処理スケジュールにおいて、酸素を注入したときのＨ２Ｓガス濃度を示すグラフ図。
【図５】日時対応の処理スケジュールにおいて、空気注入から酸素注入に変えたときのＨ２Ｓガス濃度を示すグラフ図。
【図６】日時対応の処理スケジュールにおいて、空気注入から酸素注入に変えたときのＨ２Ｓガス濃度を示すグラフ図。
【図７】オゾン注入前（Ｈ２Ｓ低減剤注入なし）のときのＨ２Ｓガス濃度を示す図。
【図８】オゾンを注入したときのＨ２Ｓガス濃度を示すグラフ図。
【図９】データ採取期間に亘って取得されたＨ２Ｓガス濃度測定値を示す図。
【図１０】空気中での平衡Ｈ２Ｓガス濃度を示す１の事例を説明する図。
【図１１】図９に関連し、取得された下水汚泥水質データ及びＨ２Ｓガス濃度測定値を示す図。
【図１２】通信手段を介して送信されるデータの内容を示す画面表示図。
【発明を実施するための形態】
【００２２】
以下、本発明の実施例を図面に基づいて説明する。
【実施例】
【００２３】
図１は、典型的な下水汚泥処理システムにおける中継ポンプ場を示す。下水汚泥処理施設システム１００は、下水汚泥処理場処理施設２、下水汚泥ピットであるポンプ井３及びこれらの結ぶ登り流路として形成された圧送管路４、下水汚泥処理装置５から構成される。圧送管路は下水汚泥管路となる。圧送管路の口径は、通常２５０〜４５０ｍｍが採用される。
【００２４】
下水汚泥処理場処理施設２は、下水汚泥処理場１に所属する。
【００２５】
汚水ポンプ１２は、ポンプ井３、ポンプ井３内に配置されて圧送管路４に下水汚泥を送り込み、搬送することができる。ポンプ井３内には、破砕機１３が配設され、固形の破砕物が破砕される。また、ポンプ井３には空気を泡状にして注入する空気注入装置１４が付属される。これらの構成は周知のものである。
【００２６】
圧送管路４は、上流側にエジェクタ１５及び下流側にＨ２Ｓ濃度計１６を備え、圧送管路４の出口端の下水汚泥のＨ２Ｓ濃度を計測する。Ｈ２Ｓ濃度は、水中Ｈ２Ｓ量（Ｈ２Ｓ量というときがある。）及び空気中のＨ２Ｓガス濃度で現わされる。従って、Ｈ２Ｓガス濃度と水中Ｈ２Ｓから拡散されるＨ２Ｓガスの濃度を示す空気中のＨ２Ｓ濃度は、Ｈ２Ｓ濃度計によって容易に実測される。
【００２７】
下水汚泥処理装置５は、コンプレッサー２１、酸素発生器２２、オゾン発生器２３、コンプレッサー２４及び圧送管路４に設けたエジェクタ１５、Ｈ２Ｓ濃度計１６及び管路２５とから構成される。
【００２８】
下水汚泥処理装置５には、端末３１によって構成される制御装置が備えられ、酸素発生器２２における酸素量、オゾン発生器２３におけるオゾン量の発生制御がなされる。
【００２９】
酸素，オゾン又は酸素とオゾンの組み合わせからなるＨ２Ｓ低減法はＨ２Ｓ低減法を構成する。これらのＨ２Ｓ低減法に、特許文献３に記載されたその他の方法が組み合わされてもよい。
下水汚泥処理場１には、端末５２が備えられ、有線もしくは無線からなる通信回路３３を介して下水汚泥処理装置側の端末３１に接続される。
【００３０】
Ｈ２Ｓ濃度計１６から実測された計測値が通信回路３４を介して端末３１に伝送される。
【００３１】
端末３１内に形成された制御装置からの制御信号は通信回路３５，３６を介して酸素発生器２２、オゾン発生器２３になされ、制御信号に対応した酸素発生、オゾン発生が指示される。１４は、空気注入装置である。
【００３２】
図２は、端末３１内にて構成される本発明実施例の下水汚泥処理支援装置１００を示す。
【００３３】
図２において、下水汚泥処理支援装置１００は、入力手段４１、Ｈ２Ｓ量及びＨ２Ｓピーク値推定手段４２、Ｈ２Ｓ低減法特定手段４３、Ｈ２Ｓ低減法決定手段４４、表示データ通知手段４５、格納手段４６、画面表示手段４７から構成される。
【００３４】
本実施例にあっては、下水汚泥管路として圧送管路４が用いられ、流水匂配を補助する中継ポンプ場であるポンプ井３内配置の圧送ポンプとしての汚水ポンプ１２によって下水汚泥圧送がなされる。
【００３５】
下水汚泥から発生する硫化物の性質は、硫化物生成量であるＨ２Ｓ量並びにＨ２Ｓガスのピーク値であるＨ２Ｓピーク値で現わされる。特に、Ｈ２Ｓのにおいの発生は、Ｈ２Ｓガスピーク値に関係して発生する。このため、Ｈ２Ｓガスピーク値を有力制御情報として使用する。
【００３６】
入力手段４１は、圧送ポンプ、すなわち下水汚泥管路の口径、圧送前の下水汚泥水質、Ｈ２Ｓ低減法及び日時対応の処理スケジュールからなる処理指令を入力する。
【００３７】
格納手段４６には、下水汚泥の生物化学的酸素要求量（ＢＯＤ）、下水汚泥の水中Ｈ２Ｓ量及び適用される温度としての水温で現わされる下水汚泥の水質データと、下水汚泥管路流下出口で漏洩するＨ２Ｓを減少させるために汚泥中に注入する酸素、オゾン又は酸素及びオゾンのいずれの注入及びこれらのＨ２Ｓ低減剤の注入量を設定したＨ２Ｓ低減のためのＨ２Ｓ低減法及び下水汚泥管路の口径から生成されるＨ２Ｓ量を推定する推定算出式、及び生成されるＨ２Ｓ量とＨ２Ｓガスピーク値の関係が格納される。加えて、設定された日時対応の処理スケジュールが格納される。水質データには圧送管路の長さ（すなわち搬送時間）が反映される。
【００３８】
また、格納手段４６には、Ｈ２Ｓ推定ピーク値についてＨ２Ｓのにおいがする、しないとの闘値を予め設定したＨ２Ｓ境界ガスピークデータ値が格納される。Ｈ２Ｓ境界ガスピークデータ値は１つであってもよいし、複数設定されていてもよい。例えば、夏、冬ではＨ２Ｓ境界ピークデータ値に差異を設けてもよいし、都会の中、都会に近い場所、都会から比較的離れている場所等に対応して複数設定しておくことができる。
【００３９】
Ｈ２Ｓ量及びＨ２Ｓガスピーク値推定手段４２は、格納手段４６に格納された下水汚泥の水質データ及び下水汚泥の口径を参照し、日時対応の処理スケジュールからなる入力された処理指令に対して、Ｈ２Ｓ低減剤の注入量を設定したＨ２Ｓ低減法の適用によって日時対応の処理スケジュールの中でＨ２Ｓ量中のピークＨ２Ｓ量を推定し、推定されたピークＨ２ＳとＨ２Ｓガス濃度中のＨ２Ｓガスピーク値との関係から推定算出式を用いて、Ｈ２Ｓガスピーク値を推定する。この場合に、Ｈ２Ｓ量とＨ２Ｓガスピーク値の予め求められていた関係からＨ２Ｓガスピーク値データを検索し、下水汚泥についてのＨ２Ｓガスピーク値を推定する。この推定の段階では、Ｈ２Ｓ低減法が適用されないで推定されたＨ２Ｓ量及びＨ２Ｓガスピーク値を求めることが含まれる。これらのデータはデータベースである格納手段４６に格納される。
【００４０】
空気を注入することでＨ２Ｓを低減することができるが、ここでは空気のみを注入するＨ２Ｓ低減法適用の場合も対策前の処理となる。これらのデータも格納手段４６に格納される。また、Ｈ２Ｓ濃度計１６で実測された値もその他の処理スケジュールと共に格納される。
【００４１】
従って、この場合は、Ｈ２Ｓガスピーク値は最大の値を示すことになる。そして、この段階では、推定されたＨ２Ｓピーク値は、Ｈ２Ｓ境界ガスピーク値を超えてしまうことになる。
【００４２】
Ｈ２Ｓ低減法特定手段４３は、推定されたＨ２Ｓガスピーク値を持つ下水汚泥について、処理指令値に対応して、推定算出式及び推定されるＨ２Ｓ量とＨ２Ｓガスピーク値との関係を繰り返して用いて、Ｈ２Ｓガスピーク値を、予め設定したＨ２Ｓ境界ガスピーク値以下にさせる推定させるＨ２Ｓ低減法を複数特定する。この段階では、特定されたＨ２Ｓ低減法によれば、Ｈ２Ｓガスピーク値は、予め設定したＨ２Ｓ境界ガスピーク値以下の値を示すものと推定されることになる。
【００４３】
Ｈ２Ｓ低減法決定手段４４は、特定されたＨ２Ｓ低減法を画面表示手段４７の表示画面上に表示させる。そして、Ｈ２Ｓ低減法決定手段４４は、表示されたＨ２Ｓ低減法から管理者によって選択された１つのＨ２Ｓ低減法を選択，決定する。Ｈ２Ｓ低減法決定手段４４は、あるいは予め定めた順位法によって定まる１つのＨ２Ｓ低減法を選択，決定する。このようにして決定されたＨ２Ｓ低減法が最終的に下水汚泥浄化処理のためのＨ２Ｓ低減法となる。管理者による選択あるいは予め定めた順位法による選択に当っては、過去の経験、コスト計算あるいは付近住民にＨ２Ｓガスの漏洩がなく環境が良い状態にあることをアピールすることが勘案される。例えば、酸素注入法がオゾン注入及び酸素注入法あるいはオゾン注入法に優先するなどで順位を定めておくことができる。逆の順序であってもよいことは勿論であり、この選択は、下水汚泥処理場１の事情によって定められる。
【００４４】
表示データ通知手段４５は、決定されたＨ２Ｓ低減法が採用されたことによって推定される推定Ｈ２Ｓガスピーク値を日時対応の処理スケジュールに沿って時々刻々に、または一定期間毎に下水汚泥処理場１に設けた表示手段に通信手段５３を介して通知する。この表示手段は、下水汚泥処理場１に設けた端末５２の画面表示手段であってもいいし、この端末５２に接続された大型のスクリーンであってもよい。推定Ｈ２Ｓガスピーク値の表示には、Ｈ２Ｓ推定境界ガスピーク値以下であることを合わせて表示してもいいし、時々刻々にＨ２Ｓ測定装置５１によって実測された実測Ｈ２Ｓガスピーク値を合わせて表示してもよい。
【００４５】
このように、Ｈ２Ｓ測定装置５１は、Ｈ２Ｓ濃度計１６を含み、時々刻々に圧送管路４の出口におけるＨ２Ｓガスピーク値を実測して、有線あるいは無線による通信手段によって実測値を端末３１に送信する。実測値を端末５２に直接送信するようにしてもよいし、端末３１から送信するようにしてもよい。
【００４６】
Ｈ２Ｓ測定装置５１は、Ｈ２Ｓ実測値と共に環境の温度、例えば水温を計測することができる。計測された温度は、上述した適用温度として採用される。
【００４７】
Ｈ２Ｓ測定装置５１で実測されたＨ２Ｓ実測値及び実測温度は、端末３１の下水汚泥処置支援装置１００の入力手段４１を介して入力され、各種の上述した実測値と共にデータベース化される。
【００４８】
入力されたＨ２Ｓ実測値は、推定Ｈ２Ｓガスピーク値を補正するために用いられるようにしてもよい。
【００４９】
下水汚泥処理場１の端末５２は、処理指令値を通信手段５３、電子媒体あるいは、用紙に記載されることで入力手段４１に入力される。通信手段５３を介して入力させることが望ましい。
【００５０】
この処理指令には、日時対応の処理スケジュール処理指令は当然として、下水汚泥管路の口径、圧送ポンプによる圧送距離、適用される温度及び圧送前の下水汚泥ＢＯＤから計算で推定される水質特定項目各種指令値が含まれる。圧送ポンプによる圧送距離は、下水汚泥が搬送されて動いている状態においては、下水汚泥水質に大きな影響を及ぼさないし、ＢＯＤ値内に包含して取り扱うことができる。
【００５１】
またこの処理指令には、処理指令に対応して、推定Ｈ２Ｓガスピーク値あるいは／及び実測されたＨ２Ｓガスピーク値を端末５２に伝送することを指令する処理結果送信指令が含まれる。
【００５２】
画面表示手段４７の表示画面には、
○実測された圧送前の水質データ
○推定算出式と係数データ
○日時対応の処理スケジュールを含む処理指令
○特定されたＨ２Ｓ低減法
○決定されたＨ２Ｓ低減法
○対策前後の発生する硫化水素の濃度
○フォーマル化された通知表示データ
が表示される。
【００５３】
次に、生物化学的酸素要求量及び下水汚泥管路の口径から生成される硫化物を推定する推定算出式について説明する。
【００５４】
この推定算出式は、文献「ＥＰＡ設計マニュアル下水道施設の臭気と腐食対策」（発行（財）下水道業務管理センター）に詳しく説明されている。
【００５５】
この文献には、硫化物の生成量の予測について３５ページには次の式が用いられることが記載されている。
0005525556.tif 000002
ここで、ｄ［Ｓ］／ｄｔ＝全硫化物量の変化速度（ｍｇ／ｌ・時）
Ｍ            ＝満管流における硫化物フラックス係数、実験的に求める経験定                          数
（ｍ／時）
ＥＢＯＤ      ＝有効ＢＯＤ＝ＢＯＤ×１．０７（Ｔ−２０）（ｍｇ／ｌ）
ｄ            ＝管径（ｍ）
この式及び説明によれば、この式は、
下水汚泥管管路内のＢＯＤ、Ｈ２Ｓ量及び適用される温度で現わされる下水汚泥の水質データと、下水汚泥管路流下出口で漏洩するＨ２Ｓを減少させるために汚泥中に注入するＨ２Ｓ低減のためのＨ２Ｓ低減法及び下水汚泥管路の口径から生成される硫化物生成量を推定する推定算出式である。従って、本実施例にあっては、好んで、ＢＯＤ、Ｈ２Ｓ量及び適用される温度で現わされる水質データと、Ｈ２Ｓを減少させるために汚泥中にＨ２Ｓ低減剤を注入するＨ２Ｓ低減法の採用、及び下水汚泥管路の口径から生成される硫化物生成量であるＨ２Ｓ量を推定する推定算出式として採用される。この推定算出式の適用に当っては係数の特定が求められるが、この係数は実測することによって特定される例示を図１０に示す。
【００５６】
この推定算出式を用いることなく、格納されたデータベースから近々するデータを検索、参照することによってもＨ２Ｓピーク値を推定することができる。そして、本実施例では、Ｈ２Ｓ低減法として、酸素、オゾン又は酸素及びオゾンのいずれかのＨ２Ｓ低減法が採用され、Ｈ２Ｓ低減剤の注入量がＢＯＤ値に対応して定められることになる。
【００５７】
下水汚泥のＢＯＤ値及び下水汚泥管路の口径を知ることで実測することで求められていた係数を採用することでＨ２Ｓ量を推定することができる。
【００５８】
図３は、日時対応の処理スケジュールにおいて、酸素発生器２２、オゾン発生器２３を働かさないで、コンプレッサー２１からエジェクタ１５に空気を４００Ｌ／ｍｉｎ送り込んだ場合のＨ２Ｓガス濃度を示すグラフである。
【００５９】
計測日  ２０１１年  ８/１  ０：００〜  ８/１  ２４：００
Ｈ２Ｓガス濃度平均値  １０８ｐｐｍ
Ｈ２Ｓガス濃度最大値  ２５０ｐｐｍ
Ｈ２Ｓガス濃度最小値    １０ｐｐｍ
平均温度                ２５℃
圧力管路口径          ４５０ｍｍ
この図からＨ２Ｓガス濃度は一日を通して平坦な濃度を示すのではなくて、午前８：００頃に鋭い尖ったピーク値を示す。また、１８時以降１２時にかけてなだらかなピーク値を示す。
【００６０】
午前８；００頃に鋭い尖ったピーク値を示すのは、一日の処理スケジュールにおいて、午前６：００頃までは下水汚泥の処理量をさげられたものが、一日の活動開始と共に処理量が急に増加し、その場合に処理に至るまでの下水汚泥が長く滞留したことによるものである。このような鋭い尖ったピークで示される漏洩したＨ２Ｓガスは拡散するに伴って人間に感知される。日時対応の処理スケジュールは、下水汚泥の滞留によるＨ２Ｓガスピーク値の出現との関係で重要である。日時対応の処理スケジュールの中で、鋭く尖ったＨ２Ｓガスピーク値を対象としてＨ２Ｓ低減法の採用が決定されることが重要である。
【００６１】
また、１８：００以降のなだらかなピーク値を示すＨ２Ｓガス濃度が高い濃度である場合には、漏洩したＨ２Ｓガスは拡散するに伴って人間に感知される。しかし、このグラフからも判るように、午前８：００頃に示される鋭いＨ２Ｓガスピーク値は、Ｈ２Ｓガスにおいの最大の原因となる。拡散するＨ２Ｓガスによるにおい対策に当っては、この鋭く尖ったＨ２Ｓガスピークをなくすことが大切であることが理解される。このようなＨ２Ｓガスピーク傾向は前述した鋭く尖ったＨ２Ｓピーク値に比べて小さい。すなわち、Ｈ２Ｓガス濃度平均値でもってにおい対策を行うことでは充分なにおい対策とはならない。
【００６２】
図４は、エジェクタ１５から酸素９０Ｌ／ｍｉｎ注入した例を示す。
計測日  ２０１１年  １０／２０  ０：００〜  １０／２１  ２４：００
Ｈ２Ｓガス濃度平均値    ３５ｐｐｍ
Ｈ２Ｓガス濃度最大値  ２３１ｐｐｍ
Ｈ２Ｓガス濃度最小値      ２ｐｐｍ
平均温度              ２２．２℃
この図から一日を通してのＨ２Ｓガス濃度平均値は低くなって酸素注入の効果が見られる。
【００６３】
しかしながら、Ｈ２Ｓガス濃度最大値は２３１ｐｐｍを示し、鋭い尖ったピークが観測され、このピークによって漏洩したＨ２Ｓガスは拡散するに伴って人間に感知される。従って、酸素を注入したような場合にあっても拡散するＨ２Ｓガスによるにおい対策に当っては、この鋭く尖ったＨ２Ｓガスピークをなくすことが大切であることが理解される。
【００６４】
図５は、空気注入４００Ｌ／ｍｉｎから酸素注入９０Ｌ／ｍｉｎを行った場合の例を示す。
計測日  ２０１１年  １０／２０  ０：００〜  １０／２３  ２４：００
Ｈ２Ｓガス濃度平均値    ３３ｐｐｍ
Ｈ２Ｓガス濃度最大値  ２３１ｐｐｍ
Ｈ２Ｓガス濃度最小値      １ｐｐｍ
平均温度                ２２℃
この例によれば、空気注入４００Ｌ／ｍｉｎの時に見られた鋭い尖ったピーク値は、酸素注入９０Ｌ／ｍｉｎ時には見られない。
【００６５】
図６は、図５と同様に空気注入４００Ｌ／ｍｉｎから酸素注入９０Ｌ／ｍｉｎを行った場合の例を示す。
計測日  ２０１１年  １０／１４  〜  １０／２８
Ｈ２Ｓガス濃度平均値    ４０ｐｐｍ
Ｈ２Ｓガス濃度最大値  ２３１ｐｐｍ
Ｈ２Ｓガス濃度最小値      ０ｐｐｍ
平均温度                ２２℃
この例によれば、空気注入４００Ｌ／ｍｉｎの時に見られた鋭い尖ったピーク値は、酸素注入９０Ｌ／ｍｉｎ時には１／２以下となっている。
【００６６】
下水汚泥の滞留があって、ＢＯＤやＨ２Ｓ量の数値は大きく変化し、これに伴ってＨ２Ｓガス濃度が変化し、Ｈ２Ｓガスピーク値に変化が現われる。
【００６７】
ＢＯＤやＨ２Ｓ量の大きな変化がない場所ではＨ２Ｓガスによる臭気や腐食などのトラブルは発生しない。ポンプ圧送などの汚水が滞留する場所以外ではＨ２Ｓガスによるトラブルはない。このように、下水汚泥の処理のスピードを落とし、滞留させておいて、朝方に一気に処理のスピードを上げる時に、拡散されてＨ２ＳガスのＨ２Ｓピーク値が生起される。
【００６８】
図７は、オゾン注入前（Ｈ２Ｓ低減剤注入なし）のＨ２Ｓガス濃度データを示す。そして、図８は、オゾン注入後のＨ２Ｓガス濃度データを示す。
オゾン注入前          オゾン注入前              オゾン注入後
Ｈ２Ｓ低減剤              なし              オゾン２０ｇ／Ｈ（５０Ｌ）と
酸素（１００Ｌ）
計測日  ２０１１年      １２／９  〜  １２／１６
Ｈ２Ｓガス濃度平均値      １０３ｐｐｍ            １２ｐｐｍ
Ｈ２Ｓガス濃度最大値      ３４０ｐｐｍ          １１１ｐｐｍ
Ｈ２Ｓガス濃度最小値          ０ｐｐｍ              ０ｐｐｍ
温度平均値                ２５℃                １８．５℃
オゾンの注入によってＨ２Ｓガスピーク値が減少するが、Ｈ２Ｓガスピーク値が観測される。
【００６９】
図９は、データ採取期間に亘って取得されたＨ２Ｓガス濃度測定値を示す。
【００７０】
図１０は、図９に関連し、データ採取期間に亘って取得された下水汚泥圧送前の下水汚泥水質データ（ＢＯＤ値、Ｈ２Ｓ量及び適用される温度）及びＨ２Ｓガス濃度測定値とを示す。圧送管路の口径は４５０ｍｍである。
【００７１】
硫化水素ガス濃度（ｐｐｍ）は実測値を示し、硫化水素計測値のＨ２Ｓガス濃度は推定値を示す。
【００７２】
実測値は、推定値を求めるために使用される。ＢＯＤ値、Ｈ２Ｓ量を予め知っておくことによって、日時対応の処理スケジュールを参照することで、Ｈ２Ｓガスピーク値が推定可能であることを示す。
【００７３】
Ｈ２Ｓガス濃度最大値とＨ２Ｓガスピーク値が異なるのは、最大値が計測された最大値を示し、Ｈ２Ｓガスピーク値は計測値を参照して修正した値である。これらのデータは、圧送管路の口径に対応し、変化するが、下水汚泥の場合、下水処理場での圧送管路口径による変化は、口径が特定されるので、口径による影響は、下水汚泥の水質特性に含ませて取り扱うようにしてもよい。
【００７４】
図１０において、Ｈ２Ｓガスピーク値についてＨ２Ｓのにおいがする、しないの闘値として予め設定したＨ２Ｓ境界ガスピーク値が過去データを参照して２００ｐｐｍに管理者によって設定された。このＨ２Ｓ境界ガスピーク値は過去の経験データに基づいて設定されることになる。
【００７５】
図１０は、においとＨ２Ｓガス濃度との関係、空気中での平衡Ｈ２Ｓガス濃度を示す１つの事例である。（ＥＰＡ設計マニュアル下水道施設の臭気と腐食対策：（財）下水道業務管理センターから）
下水汚泥中には硫黄成分が大量に含まれているため、嫌気状態になると硫酸還元細菌の働きにより下水汚水中にＨ２Ｓを生成する。その下水汚水中のＨ２Ｓは、下水汚水の乱れ（水中ポンプによる吐き出しや段差など）によって気中に拡散され、Ｈ２Ｓガスとなる。水中のＨ２Ｓが、気中に拡散されてＨ２Ｓガスとなる場合に図１０に示すような関係が得られる。
【００７６】
一方で、下水汚水中のＨ２Ｓ濃度が１．０〜１．５ｍｇ／ｌあると、通常臭気問題や腐食問題につながると考えられる。その場合の、実測値から得られた空気中のＨ２Ｓガスの濃度と臭気の関係を次表に示す。
【００７７】
【表１】
0005525556.tif 000003
【００７８】
すなわち、発生源近くの空気中のＨ２Ｓガス濃度のピーク値を２００〜１８０ｐｐｍ、特に１８０ｐｐｍ以下に抑えることで、臭気は感じなくなる。
【００７９】
図１１は、下水汚泥処理場に下水汚泥を搬送する下水汚泥管路内を中継ポンプ場の圧送ポンプによって下水汚泥圧送がなされる場合であって、下水汚泥から発生する硫化物の濃度が下水汚泥中のＨ２Ｓ量並びに下水汚泥から拡散するＨ２Ｓガス濃度によって現わされることを示す。また、生物化学的酸素要求量（ＢＯＤ値）、Ｈ２Ｓ量及び適用される温度で下水汚泥圧送前の下水汚泥水質データが現わされることを示す。また、下水汚泥水質に対応したＨ２Ｓガス濃度の実測値データ、及びＨ２Ｓガスピーク値についてＨ２Ｓのにおいがする、しないの闘値として予め設定した、格納されたＨ２Ｓ境界ガスピークデータ値が用いられることを示す。
【００８０】
更に、下水汚泥圧送前の下水汚泥水質、下水汚泥から拡散するＨ２Ｓガスを減少させるために注入する酸素、オゾン又は酸素及びオゾンのいずれかをＨ２Ｓ低減剤として注入するＨ２Ｓ低減法、及び下水汚泥処理のための日時対応の処理スケジュールが用いられたことを示す。
【００８１】
更に、格納された下水汚泥水質データを参照し、日時対応の処理スケジュールからなる入力された処理指令に対応して、Ｈ２Ｓ低減剤の注入量を設定したＨ２Ｓ低減法の適用によって日時対応の処理スケジュールの中でＨ２Ｓ量中のピークＨ２Ｓ量を推定し、推定されたピークＨ２Ｓ量とＨ２Ｓガス濃度中のＨ２Ｓガスピーク値との関係からＨ２Ｓガスピーク値が推定され、
Ｈ２Ｓ推定ガスピーク値についてＨ２Ｓのにおいがする、しないとの闘値を予め設定したＨ２Ｓ境界ガスピークデータ値を参照して、処理指令に対応して、Ｈ２Ｓ量とＨ２Ｓガスピーク値との関係を繰り返して用いて、日時対応の処理スケジュールの中で、前記Ｈ２Ｓガスピーク値を、予め設定したＨ２Ｓ境界ガスピーク値以下にさせると推定させるＨ２Ｓ低減法が複数特定されることを示す。番号１４〜２１において、酸素注入、オゾン注入、酸素注入＋オゾン注入とされているが、これらは複数特定された内の１つを示している。
【００８２】
特定されたＨ２Ｓ低減法を画面表示手段の画面上に表示させ、表示されたＨ２Ｓ低減法から管理者によって選択された１つのＨ２Ｓ低減法から下水汚泥処理のためのＨ２Ｓ低減法として決定され、採用されたことを示す。決定されたＨ２Ｓ低減法が、番号１４〜２１に示されている。Ｈ２Ｓ低減法の効果的な順序としては、酸素注入法、オゾン注入法、次いで酸素＋オゾン注入法があるが、順序を入れ替えてもよい。
【００８３】
図１２は、表示データ通信手段４５が、端末５２に提示する画面を示す。同一画面が画面表示手段４７の表示画面に表示される。
【００８４】
提示画面６０は、圧送ポンプの口径欄６１、圧送前の水質欄６２、注入方式の選択すなわちＨ２Ｓ低減法欄６３、及び発生する硫化水素濃度欄６４、予測硫化水素濃度欄６５からなる。
【００８５】
圧送ポンプの口径欄６１には、２５０ｍｍのように表示される。
圧送前の水質欄６２には、ＢＯＤ値、Ｈ２Ｓ量、水温が表示される。
【００８６】
注入方式の選択欄６３には、酸素注入、オゾン注入あるいはこれらの組み合わせ注入かが表示される。
【００８７】
発生する硫化水素濃度欄６４には、水中Ｈ２Ｓ量、空気中（拡散）Ｈ２Ｓ濃度が表示される。
【００８８】
予測硫化水素濃度欄６５には、水中Ｈ２Ｓ量及び空気中Ｈ２Ｓ量が表示される。また、Ｈ２Ｓ境界ガスピーク値との比較において、においの原因となるＨ２Ｓの漏洩はないか、あっても極めて微量であることが表示される。
【００８９】
この表示データ通信手段４７は、決定されたＨ２Ｓ低減法によって推定される推定Ｈ２Ｓガスピーク値を日時対応の処理スケジュールに沿って時々刻々に、または一定期間毎に下水汚泥処理場に設けた表示手段に通信手段を介して通知する。これによれば、Ｈ２Ｓガスによる悪臭の直接的な原因となるＨ２Ｓピーク値を予知するフォーワード抑制制御が行われてＨ２Ｓガスの漏洩が未然に防止され、フォーワード抑制制御が常時になされていることを目に見える形で付近の住民に情報提供がなされることになる。
【符号の説明】
【００９０】
１…下水汚泥処理場、２…下水汚泥処理場処理施設、３…ポンプ井、４…圧送管路（下水汚泥管路）、５…下水汚泥処理装置、１５…エジェクタ、１６…Ｈ２Ｓ濃度計、３１…端末、４１…入力手段、４２…Ｈ２Ｓ量及びＨ２Ｓガスピーク値推定手段、４３…Ｈ２Ｓ低減法特定手段、４４…Ｈ２Ｓ低減法決定手段、４５…表示データ通知手段、４６…格納手段、４７…画面表示手段、５１…Ｈ２Ｓ測定装置、５２…端末（下水汚泥処理場）、１００…下水汚泥処理支援装置。
【図１】
0005525556.tif 000004
【図２】
0005525556.tif 000005
【図３】
0005525556.tif 000006
【図４】
0005525556.tif 000007
【図５】
0005525556.tif 000008
【図６】
0005525556.tif 000009
【図７】
0005525556.tif 000010
【図８】
0005525556.tif 000011
【図９】
0005525556.tif 000012
【図１０】
0005525556.tif 000013
【図１１】
0005525556.tif 000014
【図１２】
0005525556.tif 000015